(57)【要約】【課題】床表面に紫外線硬化膜を硬化不良が生じないように形成することができる紫外線硬化膜形成装置及び紫外線硬化膜形成方法を提供する。【解決手段】床表面１ａに紫外線硬化塗料を噴霧塗布して塗膜１１を形成する噴霧塗布ユニットＡと、該塗膜１１に紫外線を照射する紫外線照射ユニットＢと、床表面を覆って外気から隔離された隔離領域３を形成する隔離カバーＣと、該隔離領域３に不活性ガスを供給する不活性ガス供給ユニットＤとを備え、噴霧塗布ユニットＡが隔離領域３内の床表面１ａに紫外線硬化塗料を噴霧塗布するように配設されると共に、紫外線照射ユニットＢが隔離領域３内の塗膜１１に紫外線を照射するように配設された紫外線硬化膜形成装置とする。不活性ガスを供給した隔離領域３内で塗膜１１を紫外線硬化させることで、酸素に起因する硬化不良をなくして耐候性に優れた紫外線硬化膜を形成する。【選択図】図１
2014058802.tif 000002
【特許請求の範囲】
【請求項１】
床表面に形成された紫外線硬化塗料からなる塗膜に紫外線を照射して紫外線硬化膜を形成するための紫外線硬化膜形成装置であって、
床表面に形成された紫外線硬化塗料からなる塗膜に紫外線を照射する紫外線照射ユニットＢと、該塗膜が形成された床表面を覆って外気から隔離された隔離領域を形成する隔離カバーＣと、該隔離領域に不活性ガスを供給する不活性ガス供給ユニットＤとを備え、
前記紫外線照射ユニットＢが、前記隔離カバーＣによって外気から隔離された隔離領域内の前記塗膜に紫外線を照射するように配設されていることを特徴とする紫外線硬化膜形成装置。
【請求項２】
床表面に紫外線硬化塗料を塗布して塗膜を形成し、該塗膜に紫外線を照射して紫外線硬化膜を形成するための紫外線硬化膜形成装置であって、
床表面に紫外線硬化塗料を噴霧塗布して塗膜を形成する噴霧塗布ユニットＡと、噴霧塗布ユニットＡによって形成された塗膜に紫外線を照射する紫外線照射ユニットＢと、床表面を覆って外気から隔離された隔離領域を形成する隔離カバーＣと、該隔離領域に不活性ガスを供給する不活性ガス供給ユニットＤとを備え、
前記噴霧塗布ユニットＡが、前記隔離カバーＣによって外気から隔離された隔離領域内の床表面に紫外線硬化塗料を噴霧塗布するように配設されると共に、前記紫外線照射ユニットＢが、前記隔離領域内の前記塗膜に紫外線を照射するように配設されていることを特徴とする紫外線硬化膜形成装置。
【請求項３】
移動ユニットを更に備え、移動方向の前方側に前記噴霧塗布ユニットＡが配置されると共に、後方側に前記紫外線照射ユニットＢが配置されていることを特徴とする請求項２に記載の紫外線硬化膜形成装置。
【請求項４】
請求項２又は請求項３に記載の紫外線硬化膜形成装置を用いて床表面に紫外線硬化膜を形成する方法であって、
隔離カバーＣによって外気から隔離された隔離領域に不活性ガス供給ユニットＤから不活性ガスを供給しながら、該隔離領域内の床表面に噴霧塗布ユニットＡから紫外線硬化塗料を噴霧塗布して塗膜を形成し、該塗膜に紫外線照射ユニットＢから紫外線を照射して床表面に紫外線硬化膜を形成することを特徴とする紫外線硬化膜形成方法。
【発明の詳細な説明】
【技術分野】
【０００１】
本発明は紫外線硬化膜形成装置及び紫外線硬化膜形成方法に関し、更に詳しくは、床表面に紫外線硬化膜を硬化不良が生じないように形成することができる紫外線硬化膜形成装置及び紫外線硬化膜形成方法に関する。
【背景技術】
【０００２】
従来から、床下地に床材を敷設した床の表面が劣化したり、傷ついたりした場合には、先ず床表面を清掃し、次いで液状の紫外線硬化塗料を床表面に塗布して塗膜を形成し、更に紫外線を該塗膜に照射して紫外線硬化膜を形成することで、床表面を改修している。
また、新しい床の表面を保護する場合も、上記と同様に紫外線硬化膜を床表面に形成している。
【０００３】
このような床表面の改修作業や保護作業においては、通常、刷毛や塗布ローラ等を用いて紫外線硬化塗料を床表面に塗布し、ハンディータイプの紫外線ランプや紫外線照射装置等で紫外線を塗膜に照射して紫外線硬化膜を形成している。
紫外線照射装置としては、例えば、ランプハウス内にオゾンレス型高圧水銀灯とアルミニウム製反射板を内蔵した照射装置であって、台車の前端部に搭載されて移動しながら紫外線を照射するものが提案されている（特許文献１）。
【先行技術文献】
【特許文献】
【０００４】
【特許文献１】特開昭６２−２３４７２号公報
【発明の概要】
【発明が解決しようとする課題】
【０００５】
しかしながら、前記の方法で床表面に紫外線硬化膜を形成する場合は、下記のような問題が生じたり、生じる虞れがあった。
（１）紫外線硬化塗料を塗布して塗膜を形成してから、紫外線を塗膜に照射して紫外線硬化膜を形成するまでの間、歩行者等の通行を停止する必要がある。
（２）紫外線硬化塗料を塗布した後、小さなゴミや埃が風等に運ばれて塗膜に付着すると、そのまま紫外線硬化膜にゴミや埃が混入することになる。
（３）紫外線硬化塗料の塗布作業と紫外線照射による硬化作業の二種類の作業が必要になるので、床表面の改修等に要する時間が長くなり、用具も二種類が必要になるので、煩雑なうえに運搬の作業負担も大きくなる。
（４）紫外線硬化塗料の塗布量や紫外線照射量を適切に管理する必要があることから、管理に要するコストが嵩み、コスト削減を図ろうとすると、塗布量や紫外線照射量の過不足を招く虞れがある。
（５）紫外線硬化塗料の塗布作業と紫外線照射による硬化作業の二種類の作業を別々に行うことから、紫外線硬化塗料を塗布した領域の全てに紫外線照射を確実に行うことができない虞れがあり、それによって紫外線硬化膜に部分的な硬化不良が発生する虞れがある。
（６）紫外線照射による硬化作業を大気（空気）中で行うため、大気中に含まれる酸素が、紫外線による塗膜の硬化（重合）反応を阻害し、紫外線硬化膜に部分的または全体的な硬化不良が発生する虞れがある。
とくに、屋外の床表面に形成した塗膜に紫外線を照射して硬化させる場合は、紫外線硬化型塗料に耐候性を付与するために紫外線吸収剤を添加することが多いので、ハンディタイプの紫外線ランプのように照射光量（照射エネルギー）が小さなランプを使用すると、照射された紫外線を紫外線吸収剤が吸収して硬化不良が発生し易くなる。かといって、硬化不良が生じないように紫外線吸収剤の添加を抑えると、紫外線硬化膜の耐候性を向上させることが難しくなる。
さらに、屋外の床表面に形成した塗膜に紫外線を照射して硬化させる場合は、上記のように照射光量が小さくても取り回しの容易なハンディタイプの紫外線ランプを用いることが一般的であるので、硬化不良が生じないように紫外線硬化塗料に光開始剤を多めに添加する傾向にある。このため、紫外線硬化膜の形成後も光開始剤が硬化膜中に多く残留し、日光等によって光開始剤から発生したラジカルが硬化膜の分子鎖を攻撃することになるので、硬化膜の耐候性に悪影響を及ぼす。
【０００６】
本発明は、上記（６）の問題を解決できる紫外線硬化膜形成装置を提供すること、並びに、上記（１）〜（６）の問題を一挙に解決できる紫外線硬化膜形成装置と紫外線硬化膜形成方法を提供すること、を目的とするものである。
【課題を解決するための手段】
【０００７】
上記目的を達成するため、本発明に係る請求項１の紫外線硬化膜形成装置は、床表面に形成された紫外線硬化塗料からなる塗膜に紫外線を照射して紫外線硬化膜を形成するための紫外線硬化膜形成装置であって、床表面に形成された紫外線硬化塗料からなる塗膜に紫外線を照射する紫外線照射ユニットＢと、該塗膜が形成された床表面を覆って外気から隔離された隔離領域を形成する隔離カバーＣと、該隔離領域に不活性ガスを供給する不活性ガス供給ユニットＤとを備え、前記紫外線照射ユニットＢが、前記隔離カバーＣによって外気から隔離された隔離領域内の前記塗膜に紫外線を照射するように配設されていることを特徴とするものである。
【０００８】
そして、本発明に係る請求項２の紫外線硬化膜形成装置は、床表面に紫外線硬化塗料を塗布して塗膜を形成し、該塗膜に紫外線を照射して紫外線硬化膜を形成するための紫外線硬化膜形成装置であって、床表面に紫外線硬化塗料を噴霧塗布して塗膜を形成する噴霧塗布ユニットＡと、噴霧塗布ユニットＡによって形成された塗膜に紫外線を照射する紫外線照射ユニットＢと、床表面を覆って外気から隔離された隔離領域を形成する隔離カバーＣと、該隔離領域に不活性ガスを供給する不活性ガス供給ユニットＤとを備え、前記噴霧塗布ユニットＡが、前記隔離カバーＣによって外気から隔離された隔離領域内の床表面に紫外線硬化塗料を噴霧塗布するように配設されると共に、前記紫外線照射ユニットＢが、前記隔離領域内の床表面に形成された前記塗膜に紫外線を照射するように配設されていることを特徴とするものである。
【０００９】
請求項２の紫外線硬化膜形成装置においては、請求項３に記載されているように、移動ユニットを更に備え、移動方向の前方側に前記噴霧塗布ユニットＡが配置されると共に、後方側に前記紫外線照射ユニットＢが配置されていることが好ましい。
【００１０】
また、本発明に係る請求項４の紫外線硬化膜形成方法は、請求項２又は請求項３に記載された紫外線硬化膜形成装置を用いて床表面に紫外線硬化膜を形成する方法であって、隔離カバーＣによって外気から隔離された隔離領域に不活性ガス供給ユニットＤから不活性ガスを供給しながら、該隔離領域内の床表面に噴霧塗布ユニットＡから紫外線硬化塗料を噴霧塗布して塗膜を形成し、該塗膜に紫外線照射ユニットＢから紫外線を照射して床表面に紫外線硬化膜を形成することを特徴とするものである。
【発明の効果】
【００１１】
請求項１の紫外線硬化膜形成装置のように、紫外線照射ユニットＢと隔離カバーＣと不活性ガス供給ユニットＤを備え、紫外線照射ユニットＢが、隔離カバーＣによって外気から隔離された隔離領域内の塗膜に紫外線を照射するように配設されていると、不活性ガス供給ユニットＤから隔離領域に不活性ガスを供給しながら、隔離領域内の床表面の紫外線硬化塗料からなる塗膜に紫外線照射ユニットＢから紫外線を照射して、床表面に紫外線硬化膜を形成することができる。
【００１２】
上記のように不活性ガスを隔離領域に供給しながら隔離領域内で塗膜を紫外線硬化させると、外気に含まれる酸素によって塗膜の硬化（重合）反応が阻害されないため、紫外線硬化膜に硬化不良が発生する虞れを解消することができる。そして、照射光量（照射エネルギー）の大きい紫外線照射ユニットＢを具備させると、屋外の床表面に形成される塗膜のように紫外線吸収剤を多く含有させた塗膜であっても、硬化不良が生じないように十分硬化させて耐候性に優れた紫外線硬化膜を形成することができ、また、紫外線硬化塗料に光開始剤を多めに添加しなくても塗膜を十分硬化させることができるので、従来のように紫外線硬化膜中に多く残留する光開始剤から発生したラジカルが硬化膜の分子鎖を攻撃して硬化膜の耐候性に悪影響を及ぼす虞れも解消することができる。
【００１３】
また、請求項２の紫外線硬化膜形成装置のように、噴霧塗布ユニットＡと紫外線照射ユニットＢと隔離カバーＣと不活性ガス供給ユニットＤを備え、噴霧塗布ユニットＡが、隔離カバーＣによって外気から隔離された隔離領域内の床表面に紫外線硬化塗料を噴霧塗布するように配設されると共に、紫外線照射ユニットＢが、隔離領域内の塗膜に紫外線を照射するように配設されていると、請求項４の紫外線硬化膜形成方法のように、隔離カバーＣによって外気から隔離された隔離領域に不活性ガス供給ユニットＤから不活性ガスを供給しながら、隔離領域内の床表面に噴霧塗布ユニットＡから紫外線硬化塗料を噴霧塗布して塗膜を形成し、隔離領域内の該塗膜に紫外線照射ユニットＢから紫外線を照射して床表面に紫外線硬化膜を形成することができる。
【００１４】
上記のように、不活性ガスを隔離領域に供給しながら、隔離領域内で床表面に塗膜を形成して該塗膜を紫外線硬化させると、請求項１の紫外線硬化膜形成装置と同様に、外気に含まれる酸素に起因する硬化不良の虞れを解消して耐候性に優れた紫外線硬化膜を形成できることに加えて、以下のメリットが得られる。
即ち、従来のように紫外線硬化塗料を塗布してから紫外線照射により硬化膜を形成するまでの間、歩行者等の通行を停止する必要がなくなり、小さなゴミや埃が紫外線硬化膜に混入することもなくなる。そして、紫外線硬化塗料の塗布と紫外線硬化を一つの装置で同時に行うので、床表面の改修等に要する時間を短縮できると共に、紫外線硬化塗料の塗布量や紫外線照射量の管理が容易になり、また、紫外線硬化塗料の塗布と紫外線硬化を別々に行う場合のように部分的な硬化不良が発生する虞れもなくなる。
【００１５】
また、請求項２の紫外線硬化膜形成装置において、移動ユニットを更に備え、移動方向の前方側に前記噴霧塗布ユニットＡが配置されると共に、後方側に前記紫外線照射ユニットＢが配置されている請求項３の紫外線硬化膜形成装置は、移動ユニットで移動しながら、移動方向前方側の噴霧塗布ユニットＡで隔離領域内の床表面に形成した紫外線硬化塗料の塗膜に、移動方向後方側の紫外線照射ユニットＢから紫外線を確実に照射して、紫外線硬化膜を連続して形成することができる。
【００１６】
なお、請求項２又は請求項３の紫外線硬化膜形成装置を用いて紫外線硬化膜を形成する請求項４の紫外線硬化膜形成方法は、請求項２又は請求項３の紫外線硬化膜形成装置と同様の作用効果を奏することは言うまでもない。
【図面の簡単な説明】
【００１７】
【図１】本発明の一実施形態に係る紫外線硬化膜形成装置の概略断面図である。
【図２】本発明の他の実施形態に係る紫外線硬化膜形成装置の概略部分平面図である。
【発明を実施するための形態】
【００１８】
以下、図面に基づいて、本発明の実施形態を説明する。
【００１９】
図１は本発明の一実施形態に係る紫外線硬化膜形成装置を示す概略断面図であって、この紫外線硬化膜形成装置は、噴霧塗布ユニットＡと、紫外線照射ユニットＢと、隔離カバーＣと、不活性ガス供給ユニットＤと、移動ユニットＥを備えている。
【００２０】
隔離カバーＣは、床表面１ａ（この実施形態では床下地２に敷設された床材１の表面１ａ）を覆って外気から隔離された隔離領域３を内部に形成する部材であって、紫外線硬化膜形成装置の基台を兼ねており、この隔離カバーＣの下端の四周縁には、床表面１ａに気密的に弾接するゴム製のスカート４が取付けられている。隔離カバーＣの材質は、基台に適合する強度を有し且つ紫外線で劣化し難いものが適しており、例えば、アルミニウムなどの紫外線反射効率が良い金属が好ましく使用される。また、隔離カバーＣは、小運搬や移動の容易さを勘案し、隔離カバーＣの骨格を骨材で形成し、この骨格を合成樹脂製のシートやフィルム、または通気性や紫外線透過性の小さい布帛などで覆うようにして構成することも好ましい。なお、この際、合成樹脂製のシート等や布帛は、その内面側を光線反射処理を行っておくことが望ましい。
【００２１】
この隔離カバーＣは、外気が隔離領域３に流入して隔離領域３内の酸素濃度が上昇したり、ゴミや埃が隔離領域３に入り込んだりするのを防止すると共に、紫外線照射ユニットＢの紫外線ランプ９が発する熱を隔離領域３内に滞溜させて硬化反応を促進させる役目も果たすものである。
【００２２】
基台を兼ねた隔離カバーＣの前端部と後端部の両側には、移動ユニットＥとして車輪が二輪ずつ回転自在に設けられており、これらの車輪によって紫外線硬化膜形成装置を矢印方向に手動で移動できるようになっている。尚、手動の移動ユニットＥに代えて、車輪をモータで回転させる電動型の移動ユニットを設け、一定の速度で紫外線硬化膜形成装置を矢印方向に移動させるようにしても勿論よい。
【００２３】
不活性ガス供給ユニットＤは、隔離カバーＣの天板５の前端凹段部に搭載されており、隔離カバーＣで外気から隔離された隔離領域３に不活性ガスを供給できるように、不活性ガス供給ユニットＤのガス供給口６が上記天板５の前端凹段部を貫通して隔離領域３に突入している。不活性ガス供給ユニットＤは、不活性ガスの供給量を調節して供給できるものであればどのような構造のものでもよく、例えば、流量調節バルブ付きの供給口６（供給ノズル）を有する一般的なガスボンベに高圧の不活性ガスを入れたものなどが使用される。
【００２４】
ここでいう「不活性ガス」とは、化学反応を起こしにくい気体であって、紫外線硬化塗料の紫外線硬化反応を阻害することのない、例えばヘリウム、ネオン、アルゴンなどの希ガス類や、窒素、炭酸ガスなどの気体を指し、隔離領域３における酸素濃度を低下させるために隔離領域３の空気を置換することを目的として使用されるものである。なかでも、空気より重く、安価で、取扱いも容易な炭酸ガスが好適であり、かかる炭酸ガスは隔離領域３の内部下方に沈降、滞溜して床表面１ａの上の空気を素早く効率的に置換するため、酸素に起因する硬化不良を確実に防止できる。
【００２５】
隔離カバーＣの天板５には、隔離領域３内の空気や、不活性ガス供給ユニットＤから隔離領域３に供給された不活性ガスを外部へ排気する排気口７が形成されている。このように排気口７が隔離カバーＣの天板５に形成されていると、紫外線照射ユニットＢの紫外線ランプ９から出る熱や、紫外線硬化塗料の硬化反応による熱で暖められた酸素を含む空気が上昇して、天板５の排気口７から効率良く排気されるため、酸素による紫外線硬化反応の阻害をより確実に排除することができる。
【００２６】
噴霧塗布ユニットＡは、隔離カバーＣの天板５の前方側（移動方向前方側）の凹部に搭載されており、隔離カバーＣによって外気から隔離された隔離領域３内の床表面１ａに紫外線硬化塗料を噴霧塗布して塗膜１１を形成できるように、噴霧塗布ユニットＡの噴霧ノズル８が天板５の凹部を貫通して隔離領域３内に突入している。噴霧塗布ユニットＡは、紫外線硬化塗料の噴霧量を調節して噴霧塗布できるものであればどのような構造のものでもよく、例えば、噴霧ノズル８を有する従来公知のスプレー式塗布装置などが全て使用可能である。
【００２７】
紫外線硬化塗料としては、ラジカル硬化型のアクリルウレタン系紫外線硬化塗料などであって、高沸点溶剤タイプ(希釈剤として沸点が通常の塗料よりも高いものが使用され、硬化膜中に希釈剤が取り込まれても、硬化後に臭気発散や硬化膜の劣化がみられない塗料)や反応型希釈タイプ(希釈剤として塗料成分と反応性のあるモノマーやオリゴマーを用いる塗料)若しくはそれらの組合せになる塗料などが好ましく使用される。噴霧塗布ユニットＡによって隔離領域３内の床表面１ａに形成する紫外線硬化塗料の塗膜１１の厚さは、特に限定されないが、紫外線照射によって形成される紫外線硬化膜の強度を考慮すると１０〜１００μｍ程度の厚さとすることが好ましい。
【００２８】
紫外線照射ユニットＢは、隔離カバーＣの天板５の後端凹段部に搭載されており、隔離カバーＣによって外気から隔離された隔離領域３内の床表面１ａに形成された塗膜１１に紫外線を照射できるように、紫外線照射ユニットＢの紫外線ランプ９が天板５の後端凹段部の開口から隔離領域３に露出している。紫外線照射ユニットＢは、隔離領域３内の床表面１ａに形成された塗膜１１に紫外線を照射できるものであればどのような構造のものでもよく、例えば、紫外線ランプ９と反射板１０を備えた一般的な紫外線照射装置が使用される。この紫外線照射ユニットＢの紫外線ランプ９の位置は、図１に示すように、噴霧塗布ユニットＡの噴霧ノズル８の位置よりも低く設定することが好ましく、このようにすると、紫外線ランプ９から照射される紫外線によって噴霧ノズル８付近の紫外線硬化塗料が硬化して噴霧ノズル８が詰まる弊害をなくすことができる。
【００２９】
紫外線照射ユニットＢの紫外線ランプ９としては、照射エネルギーの大きい高圧水銀ランプ、メタルハライドランプ、キセノンランプ、ＬＥＤランプ、無電極ＵＶランプなどが使用され、紫外線硬化塗料の塗膜１１を紫外線硬化させる好ましい照射条件としては、照射エネルギー１００〜５００ｍｍＪ／ｃｍ２、照射時間１〜１０秒、照射波長３００〜４００ｎｍが採用される。
【００３０】
不活性ガス供給ユニットＤと噴霧塗布ユニットＡと紫外線照射ユニットＢを、基台を兼ねた隔離カバーＣの天板５に搭載する位置関係は特に限定されないが、この実施形態のように、不活性ガス供給ユニットＤが紫外線硬化膜形成装置の移動方向前端に配置されて隔離カバーＣの天板５に搭載されていると、紫外線硬化膜形成装置を移動させながら紫外線硬化膜を形成する際に、隔離領域３の内部全体に不活性ガスを均等に供給できる利点があり、また、この実施形態のように、噴霧塗布ユニットＡが移動方向前方側に配置され、紫外線照射ユニットＢが移動方向後方側に配置されて、隔離カバーＣの天板５に搭載されていると、紫外線硬化膜形成装置を移動させながら、移動方向前方側の噴霧塗布ユニットＡで隔離領域３内の床表面１ａに形成した紫外線硬化塗料の塗膜１１に、移動方向後方側の紫外線照射ユニットＢから紫外線を確実に照射して、紫外線硬化膜１２を連続して形成位置できる利点がある。
【００３１】
なお、この実施形態では、不活性ガス供給ユニットＤと噴霧塗布ユニットＡと紫外線照射ユニットＢを隔離カバーＣの天板５の上に搭載しているが、これらのユニットＤ，Ａ，Ｂを隔離カバーＣの内側に設置してもよいことは言うまでもない。
また、場合によっては、隔離カバーＣの前端に、空気又は熱風を吹き付けるユニットを設けて、紫外線硬化膜形成装置の移動方向前方の床表面１ａに存在するゴミや埃を吹き飛ばすようにしてもよい。このようにすれば、紫外線硬化膜１２にゴミや埃が混入するのを一層確実に防止できる利点があるので好ましい。
【００３２】
次に、上記の紫外線硬化膜形成装置を用いて床表面１ａに紫外線硬化膜１２を形成する方法について説明する。
【００３３】
まず、紫外線硬化膜形成装置の隔離カバーＣによって外気から隔離された隔離領域３に、不活性ガス供給ユニットＤのガス供給口６から不活性ガスを供給し、紫外線硬化膜形成装置を移動ユニットＥの車輪で移動させながら、隔離領域３内の床表面１ａに噴霧塗布ユニットＡの噴霧ノズル８から紫外線硬化塗料を噴霧塗布して、厚さ１０〜１００μｍ程度の塗膜１１を形成する。そして、この形成された直後の塗膜１１に紫外線照射ユニットＢの紫外線ランプ９から紫外線を前記の照射条件で照射して塗膜１１を硬化させ、床表面１ａに紫外線硬化膜１２を連続して形成する。
【００３４】
上記のように、紫外線硬化膜形成装置を用いて床表面１ａに紫外線硬化膜１２を形成すると、隔離領域３は隔離カバーＣによって外気から隔離され、不活性ガスで置換された隔離領域３の内部で紫外線硬化塗料の塗膜１１が紫外線硬化するため、酸素に起因する硬化不良を確実に防止することができる。そして、上記の照射条件で紫外線を塗膜１１に照射すると、紫外線吸収剤を多く含む塗膜１１でも、十分硬化させて耐候性に優れた紫外線硬化膜を形成することができ、また、紫外線硬化塗料に光開始剤を多めに添加しなくても塗膜１１を十分硬化させることができるので、従来のように紫外線硬化膜中に多く残留する光開始剤から発生したラジカルが硬化膜の分子鎖を攻撃して硬化膜の耐候性に悪影響を及ぼす虞れも解消することができる。
加えて、従来のように紫外線硬化塗料を塗布してから紫外線照射により硬化膜を形成するまでの間、歩行者等の通行を停止する必要がなくなり、小さなゴミや埃が紫外線硬化膜１２に混入する心配も解消される。そして、紫外線硬化塗料の塗布と紫外線硬化を一つの紫外線硬化膜形成装置によって同時に行うので、床表面の改修等に要する時間を短縮できると共に、紫外線硬化塗料の塗布量や紫外線照射量の管理が容易になり、また、紫外線硬化塗料の塗布と紫外線硬化を別々に行う場合のように部分的な硬化不良が発生する虞れも解消される。
【００３５】
上記の紫外線硬化膜形成装置は、床表面１ａに紫外線硬化塗料を塗布して塗膜１１を形成すると共に、該塗膜１１に紫外線を照射して紫外線硬化膜１２を形成するための装置であるが、床表面に予め形成された塗膜に紫外線を照射して紫外線硬化膜を形成するための紫外線硬化膜形成装置の場合は、上記の紫外線硬化膜形成装置から噴霧塗布ユニットＡを除去した構成とすればよい。
即ち、ゴム製のスカート４を下端四周縁に取付けた隔離カバーＣの天板５に、不活性ガス供給ユニットＤと紫外線照射ユニットＢを搭載し、不活性ガス供給ユニットＤから隔離領域３に不活性ガスを供給できるように不活性ガス供給ユニットＤの供給口６を天板５を貫通させて隔離領域３に突入させると共に、紫外線照射ユニットＢから紫外線を隔離領域３内の塗膜１１に照射できるように紫外線ランプ９を天板５の開口から隔離領域３に望ませ、更に、紫外線硬化膜形成装置を移動できるように隔離カバーＣの両側に移動ユニットＣとして車輪を二輪ずつ回転自在に取付けて、紫外線硬化膜形成装置を構成すればよい。
【００３６】
このような紫外線硬化膜形成装置は、不活性ガス供給ユニットＤの供給口６から隔離領域３に不活性ガスを供給しながら、隔離領域３内の床表面１ａの紫外線硬化塗料からなる塗膜１１に紫外線照射ユニットＢの紫外線ランプ９から紫外線を前記の照射条件で照射することによって、酸素に起因する硬化不良を確実に防止して耐候性に優れた紫外線硬化膜１２を床表面１ａに形成することができる。
【００３７】
図２は本発明の他の実施形態に係る紫外線硬化膜形成装置の概略部分平面図である。
【００３８】
この実施形態の紫外線硬化膜形成装置は、紫外線ランプ９を有する紫外線照射ユニットＢが半環状に形成され、噴霧塗布ユニットＡの後半部を取り囲むように配置されて隔離カバーＣの天板５に搭載されている。そして、排気口７が隔離カバーＣの天板５の後端部に形成されている。その他の構成は、前記紫外線硬化膜形成装置と実質的に同様であるので、図２において対応箇所に対応する符合を付して説明を省略する。
【００３９】
このような紫外線硬化膜形成装置は、前述した作用効果に加えて、半環状の紫外線照射ユニットＢの紫外線ランプ９によって、紫外線硬化塗料の塗膜をより均等に硬化できる利点がある。
【符号の説明】
【００４０】
Ａ    噴霧塗布ユニット
Ｂ    紫外線照射ユニット
Ｃ    隔離カバー
Ｄ    不活性ガス供給ユニット
Ｅ    移動ユニット
１    床材
１ａ  床表面
２    床下地
３    隔離領域
４    スカート
５    隔離カバーの天板
６    不活性ガス供給ユニットの供給口
７    排気口
８    噴霧塗布ユニットの噴霧ノズル
９    紫外線照射ユニットの紫外線ランプ
１１  紫外線硬化塗料からなる塗膜
１２  紫外線硬化膜
【図１】
2014058802.tif 000003
【図２】
2014058802.tif 000004